(57)【要約】【課題】  主ケーブル（１）を副ケーブル（３）と電気を通す形で接続するための分岐接続装置（１０）を提供することである。【解決手段】  この発明による分岐接続装置は、主ケーブル芯線（２）を接続するとともに、副ケーブルの一つを差し込むことが可能なソケットの接点部分への電気的な接続を形成するための圧接端子（１１）を持つ接続部材（５）を有する。この接続部材（５）は、圧接端子と電気的に接続された、平坦で局所的に平面を成すクランプ端子（１２）を有し、その際このクランプ端子のクランプ作用が、この平面に沿って働くバネ力によって生じる。有利には、接続部材全体は、一体化されており、打抜き加工により製作される。【選択図】  図１
2005259694.tif 000002
【特許請求の範囲】
【請求項１】
主ケーブル（１）を副ケーブル（３）と電気を通す形で接続するための分岐接続装置（１０）であって、この分岐接続装置は、ソケットの接点部分への電気的な接続を形成するための接続部材（５）を有し、このソケットには副ケーブルのプラグ（４１，６１）を差し込むことが可能であり、その際この接続部材（５）が、主ケーブルの主ケーブル芯線（２）を接続するための圧接端子（１１）を有する分岐接続装置において、
この接続部材（５）の少なくとも一つは、この圧接端子と電気的に接続しているクランプ端子（１２）を有し、このクランプ端子は、平坦で、局所的に平面を成し、その際このクランプ端子のクランプ作用が、この平面に沿って働くバネ力によって生じることを特徴とする分岐接続装置。
【請求項２】
当該のクランプ端子（１２）が、当該のソケットの接点部分の中の一つを構成することを特徴とする請求項１に記載の分岐接続装置。
【請求項３】
当該の接続部材（５）が、一体的に形成されたものであることを特徴とする請求項１又は２に記載の分岐接続装置。
【請求項４】
複数のクランプ端子（１２）が有って、共通の平面を成すことと、当該の圧接端子（１１）が、同様に平坦であり、平面を成し、その平面がクランプ端子の平面と一定の角度を成すことを特徴とする請求項３に記載の分岐接続装置。
【請求項５】
少なくとも当該のクランプ端子（１２）は、金属板から打ち抜かれた、又はファインブランキングによって得られた打抜き加工部品として構成されていることを特徴とする請求項１から４までのいずれか一つに記載の分岐接続装置。
【請求項６】
当該の接続部材（５）は、ガイドフィン（２３）を有するケース基盤部分（２１）内に嵌め込まれていることと、当該の圧接端子（１１）は、主ケーブル芯線（２）を十分深く嵌め込んだ時に、この圧接端子が、これらのガイドフィン（２３）の間に案内される主ケーブル芯線（２）のケーブル絶縁体を切断する位置に配置されていることとを特徴とする請求項１から５までのいずれか一つに記載の分岐接続装置。
【請求項７】
押圧手段（２６）を有する配線部材（２２）を設け、この押圧手段は、この配線部材を単に動かすことによって、同時に当該のガイドフィンの間の外側に置かれた主ケーブル芯線を、これらの芯線が当該の圧接端子（１１）と接続される程度に、当該のガイドフィンの間を内側に押圧する位置に配置されていることを特徴とする請求項６に記載の分岐接続装置。
【請求項８】
ケースの一部に透明な窓（５２）を設け、この窓から、使用した状態において、露出した主ケーブル芯線（２）を見ることが可能であることを特徴とする請求項１から７までのいずれか一つに記載の分岐接続装置。
【請求項９】
止め角を設け、この止め角によって、副ケーブルのプラグ（４１）の止め爪（４２）を止着可能であることを特徴とする請求項１から８までのいずれか一つに記載の分岐接続装置。
【請求項１０】
特に請求項１から９までのいずれか一つに記載された、主ケーブルの主ケーブル芯線（２）を接続するとともに、ソケットの接点への電気的な接続を形成するための接続部材（５）を用いた、主ケーブル（１）を副ケーブル（３）と電気を通す形で接続するための分岐接続装置（１０）と、このソケットに差し込むことが可能である、少なくとも一つの副ケーブル用プラグ（４１，６１）とを有する分岐接続システムにおいて、
プラグとソケットは、少なくとも二段階による機械的な符合システムを有し、その第一段階は、ソケットとプラグに固定的に存在する機械的な特徴部（４３，１０２）で構成され、それらの対応するプラグとソケットの特徴部は、互いに符合するものであり、符合する符合部を持つプラグだけがソケットに差し込むことが可能であることと、その第二段階は、ソケットとプラグ上に切り離し可能又は付加可能な部材（４５，１０６）を有し、この部材が符合する形で一方が存在し、他方が存在しない場合に、プラグがソケットに差し込むことが可能であり、それとは逆に符合部が符合しない場合、この部材は、差し込もうとしても互いに対立して存在して、プラグのソケットへの差し込みを防止することとを特徴とする分岐接続システム。
【請求項１１】
当該の切り離し可能又は付加可能な部材は、プラグ側に設けられた不可逆的に切り離し可能な突起（４５）とプラグのガイド溝（１０３）に差し込み可能な符合ピン（１０６）であり、その際この突起のプラグの軸に対する横方向の位置が、差し込む際に、このガイド溝の横方向の位置と一致することを特徴とする請求項１０に記載の分岐接続システム。
【請求項１２】
請求項１から９までのいずれか一つに記載された分岐接続装置（１０）に使用するのに適した、圧接端子（１１）及びこの圧接端子と電気的に接続されたクランプ端子（１２）を有する接続部材（５）において、
このクランプ端子は、平坦であり、局所的に平面を成し、その際このクランプ端子のクランプ作用が、この平面に沿って働くバネ力によって生じることを特徴とする接続部材。
【請求項１３】
この接続部材は、一体化されたものであることと、有利には、少なくとも当該のクランプ端子（１２）は、金属板から打ち抜かれた、又はファインブランキングによって得られた打抜き加工部品として構成されていることとを特徴とする請求項１２に記載の接続部材。
【請求項１４】
請求項１から９までのいずれか一つに記載された分岐接続装置と、平坦であり、それぞれ局所的に平面を成す複数のクランプ端子（１２）を持つ複式ソケット端子（５，８２，９２）を有する少なくとも一つの複式ソケットモジュール（７１，８１）とを備え、その際これらのクランプ端子のクランプ作用が、この平面に沿って働くバネ力によって生じるとともに、これらのクランプ端子が、この複式ソケット端子のソケットの接点部分を構成することを特徴とする接続システム。
【請求項１５】
平坦であり、それぞれ局所的に平面を成す複数のクランプ端子（１２）を持ち、その際これらのクランプ端子のクランプ作用が、この平面に沿って働くバネ力によって生じることを特徴とする請求項１４に記載の接続システムの複式ソケットモジュール用の金属板状の一体化された複式ソケット端子（５，８２，９２）。
【発明の詳細な説明】
【技術分野】
【０００１】
この発明は、主ケーブルを副ケーブルと電気を通す形で接続するための分岐接続装置に関する。
【背景技術】
【０００２】
この種の装置としては、例えば特許文献１、特許文献２、特許文献３又は特許文献４により、様々な種類の分岐接続装置が知られている。これらすべての分岐接続装置では、主ケーブルのケーブル芯線は、圧接端子(Schneidkontakt)によって接続されている。特許文献１、特許文献２及び特許文献３にもとづく分岐接続装置では、副ケーブルは、ソケット・プラグ型接続端子により差し込み可能であるのに対して、特許文献４の分岐接続装置では、副ケーブルは、同じく圧接端子によって接続されており、そのため必要に応じて副ケーブルを交換する手段に欠けている。
【０００３】
副ケーブル用のソケット・プラグ型接続端子を持つ周知の分岐接続装置は、製造に関して負担のかかる、比較的複雑に形成された接続部品を必要としている。例えば、成形した金属板の切片を曲げたり、或いは折り曲げたりして、二つの切片の平坦な側面間にクランプ作用を生じさせている。これは、製造方法の複雑さの他に、更にバネ作用が基本的に折れ曲げることから生じており、そのことは、持続的な応力のために、金属疲労を速める結果をもたらす場合があるという欠点を有する。
【０００４】
その他の一連の問題は、符合させることに関する。ソケット・プラグ型接続端子に個別的な符合手段を配備することが知られている。工事者は、現場での組み立ての際に機能する符合によって、様々な機器が正しい電力網にのみ差し込み可能であることを確信することができる。切り離し可能な符合用突起による解決法が、例えば特許文献５に開示されている。しかし、この解決法は、決まった網、例えば低圧網への採用に対してのみ適したものである。
【特許文献１】国際特許公開第００／３０２１８号明細書
【特許文献２】ドイツ特許公開第１９９２０７６８号明細書
【特許文献３】ドイツ特許公開第１０１４３３６３号明細書
【特許文献４】国際特許公開第０３／０２１７２１号明細書
【特許文献５】ドイツ特許公開第１９９３２２４３号明細書
【発明の開示】
【発明が解決しようとする課題】
【０００５】
この発明の課題は、従来技術での問題を克服した、特に安価な製造を可能とする分岐接続装置を提供することである。この発明の文脈において、製造ができる限り容易である接続部品を提供することは、同じくこの発明の課題である。この発明の別の課題は、前述した符合させることの問題を排除する解決法を提供することである。
【課題を解決するための手段】
【０００６】
この課題は、請求項の規定にもとづき、この発明により解決される。
【０００７】
この発明の第一の観点において、分岐接続装置は、主ケーブルを副ケーブルと接続するために、それぞれ主ケーブルの芯線を接続するための少なくとも一つの圧接端子と少なくとも一つのクランプ端子とを持つ接続部品を有する。この発明では、このクランプ端子は、平坦又は金属板状であり、局所的に平面を成し、その際例えば二つの翼型部材(Fluegelelement)間のクランプ作用は、この平面に沿って作用するバネ力によって生じるものである。このクランプ端子は、ケーブル端子と同様に形成することができる、即ち例えば音叉形状に形成された金属板とすることができ、その際この翼型部材は、音叉形状の形成物の突起部である。そして、これらの突起部の間に、端子の隙間が形成されており、接続する対象物（例えば端子ピン）を差し込んだ場合、前述したバネ力とは異なり、突起部相互間に端子の開きが生じるものである。
【０００８】
この発明の文脈において、「平坦」という概念は、必ずしもクランプ端子全体が厳密に単一の平面を成すということを意味するものではない。むしろ、このクランプ端子は、全体として、例えば曲げたり、或いは折り曲げたりさえできる。しかし、このクランプ端子は、局所的には金属板状に平坦であり、クランプ作用は、例えばクランプする点において、前述したとおり、クランプする点の位置での金属板の平面によって規定される平面に沿って作用する力によって生じるものである。
【０００９】
この発明にもとづき、クランプ端子を平坦にすることによって、製造の際に大きな利点が生まれる。このクランプ端子は、一枚の金属板から打ち抜くか、或いはファインブランキングによって形成することができ、それに続いて金属板を大幅に変形させる必要がない。更に、それらの間にクランプ作用を生じさせる、翼型部材（又は突起部）の幅を十分大きく選定することによって、金属板の厚さが小さい場合でも、クランプ作用を十分大きくすることができる。このことは、比較的薄い金属板の使用を可能とし、それは、同じく利点を生み出すことができるものである。正面側での接続は、薄い金属板の場合でも、動作時において、比較的小さい電流密度となるという作用をも奏するものである。
【００１０】
更に、その特有の幾何学形状によって、別の重要な利点が生じる。それは、このクランプ端子が平面に沿って実現されているので、この端子部材には、基本的に大きな製造負担無しに、二つ又は複数のクランプ端子を配備することができることである。そうすることによって、このクランプ端子は、理想的には、単一の端子部材が複数のソケットに対する端子を構成する、複式コンセント型の実施構成の構成部品としても適している。これは、製造時にも、この発明による分岐接続装置を用いてシステムを組み立てる場合にも有利である。更に、この設計思想は、例えば一つの分岐接続装置及び複式コンセントモジュールを持つ接続システムに拡張することができる。複式コンセントモジュールにおける、この発明による端子は、同じく前述した種類のクランプ端子を有し、同じく金属板から打ち抜くか、或いはファインブランキングによって製造することができる。
【００１１】
有利な実施構成において、この端子部材は、一体化した形状に形成される。従って、この端子部材は、全体として金属板から打ち抜くか、或いはファインブランキングによって製造することも可能であり、その際それに続いて、場合によっては、エンボス加工又は研磨によって、圧接端子の刃先を仕上げることができる、並びにその際場合によっては、圧接端子及び／又はクランプ端子の平面を本来の金属板の平面に対して捻じ曲げる。後者の作業は、エンボス加工処理において行うことができる。
【００１２】
この発明の別の観点において、この分岐接続装置は、多段階による符合システムを有する。第一段階は、工場で付与した機械的な符合部、例えばプラグのノッチで構成され、この符合部は、プラグの軸に平行に延び、ソケットの隆起部と符合する（例えば、誤った符合部の場合には符合しない）か、或いはその逆である。第二段階は、切り離し及び／又は付加可能な部材、例えばプラグ側に有る突起から構成され、その横方向の位置は、ソケット側に設けられたピンの横方向の位置と一致するものである。
【発明を実施するための最良の形態】
【００１３】
以下において、図面を参照して、この発明の実施構成について記述する。
【００１４】
この発明にもとづく分岐接続装置の原理は、図１で見ることができる。主ケーブル芯線２を持つ主ケーブル１が、副ケーブル芯線４を持つ副ケーブル３と接続されている。プラグ端子６と電気的に接続可能である接続部材５が、その役割を果たしている。これらのプラグ端子は、例えばクランプ７によって副ケーブル芯線４と固く接続されている。
【００１５】
図２ａ及び２ｂから分かるとおり、各接続部材５は、主ケーブル芯線を接続するための圧接端子１１と少なくとも一つのクランプ端子１２とを有し、図示した実施構成では、二つのクランプ端子を有する。この接続部材５は、一体的に、即ち金属板から打ち抜いた打抜き加工部品として形成されている。圧接端子１１の内側に形成された刃先は、打抜き後にエンボス加工又は研磨によって鋭くされている。この圧接端子は、金属板の平面に対して（図示した例では約４５°）捻じ曲げられている。こうすることによって、図１に図示されているとおり、即ち主ケーブルに対して平行に延びるプラグ端子６を持つ形の、この分岐接続装置の幾何学形状が可能となる。しかし、別の幾何学形状、例えば圧接端子を捻じ曲げない形、プラグ端子が主ケーブルに対して垂直に逸れて通る形、或いは金属板の平面に対して４５°とは異なる角度、例えば４５°〜９０°の角度で圧接端子を捻じ曲げた形も考えられる。
【００１６】
この接続部材のクランプ端子１２は、従来技術とは異なり、少なくとも局所的に平坦であり、その結果平面を成す。図示した例では、このクランプ端子は、二つの突起部を持つ音叉と同様に、平面形状に形成されている。プラグ端子６に対するクランプ作用は、フォーク形端子(Gabelkontakt)の場合と同様に、この平面に沿ったバネ力によって、二つの突起部の間に生じる。このクランプ端子は、図示した実施構成とは異なり、同じく本来の金属板平面に対して捻じ曲げることができる。
【００１７】
この接続部材を製造するための材料は、例えば銅又は銅の合金である。この金属板の厚さは、例えば０．５ｍｍ〜１．２ｍｍ、有利には０．７ｍｍ〜０．９ｍｍである。この突起部の幅は、所望のバネ力が生じるように、従って金属板の厚さ、突起部の長さ及び材料に依存して選定される。その幅は、例えば約１ｍｍ〜３ｍｍ、有利には約１．７ｍｍ〜２．４ｍｍである。この突起部の長さは、例えば１２ｍｍ〜２５ｍｍとすることができる。
【００１８】
図３は、図１の構成部品の斜視図を示しており、その際主ケーブルのケーブル芯線は、ケース基盤部分２１内に案内されるとともに、配線部材、即ち配線カバー２２をも図示している。このケース基盤部分は、（図の下方に図示された）ソケットの台座と、（図の上方に図示された）ガイドフィン２３を持つ主ケーブルの芯線ガイドとを有する。この接続部材５をケース基盤部分内に嵌め込んで、圧接端子１１が、ガイドフィン２３の間に案内された主ケーブル芯線のケーブル絶縁体を切断して、主ケーブル芯線と接続するようにしている。
【００１９】
この配線カバー２２は、主ケーブル芯線を圧接端子１１と確実に接続するために、押圧フィン２６によって、反発力に対抗して、ガイドフィンの間に主ケーブル芯線を十分深く押し込む役割を果たしている。この配線カバー２２は、旋回軸２４を有し、この旋回軸は、ガイドフィンの正面側の窪み２５に掛かって、それにより直ちに、この配線カバーが、この旋回軸の周りを旋回可能な形で案内される。この配線カバーは、最終的な位置では、止め具２７によって固定される。或いは、配線カバーを、押圧又は押圧鋏を用いて垂直に装着することが可能な配線手段とすることも考えられる。
【００２０】
ソケットの台座には、二つのソケット３１が配設されており、それらにはプラグのプラグ端子６を差し込むことができる。図示した構成では、ソケットは、それぞれ（主ケーブルの方向に関して）前方と後方の方向に向いている。この接続部材とコンセントは、両側に配置されており、差し込まれたプラグ端子がクランプ端子の突起部の間に案内されて、それによりこれらと接続されるようになっている。
【００２１】
図４は、配線カバー２２が最終位置に有り、ソケット４１に差し込まれたプラグをも図示した、分岐接続装置全体、即ち付属のプラグを含む分岐接続装置を示している。
【００２２】
図５では、プラグ４１を引き抜いた状態でのカバー５１を含む分岐接続装置が全体的に図示されている。このカバーは、透明な窓５２を持ち、その窓から、主ケーブル芯線を見ることができる。これは、カバーを開けること無く、ケーブル芯線が正しく敷設されているかを点検する手段を管理者に提供するものである。図示した実施例では、この窓には、更に位相、中性線及びアース、或いは別の性質のケーブル芯線の正しい位置を示すワイヤーマークを有する標識５３が付けられている。製造に対する理由から、このカバーを、全体的に透明な材料から作って、その際例えばこの窓だけを研磨して、ケーブル芯線を澄明に見ることができるようにすることができる。
【００２３】
しかし、カバーを取り付けて、分岐接続装置を使用できるのであれば、この配線カバーは、その最終位置に留めて置けないか、或いは留めて置いてはいけない。
【００２４】
確実に取り付けるためには、規定では、プラグをコンセント（即ち電源ケーブル用のソケット）に止着する必要がある。周知の製品では、この止着は、止着部を追加することにより解決される。この発明の図示した実施構成は、プラグ上に射出成形された止め爪４２を有する。これに代わって、この止め爪を別に作った、例えば金属製の部品とすることができる。この止め爪は、コンセントの内側にある（図示されていない））止め角と協働して、止着する役割を果たす。この止着は、押圧部４４をプラグの内側の方に押して、それにより止め爪を内側に押し動かすことによってのみ解放される。この止め爪を射出成形しているため、製造に際して、この止着に対する追加費用は発生しない。このプラグ上に止め爪を射出成形するという原理は、これ以外の点に関して、この発明によらずに構成された接続システムに対しても利用することができる。
【００２５】
図示した有利な実施構成では、三芯電流ケーブル用分岐接続装置が規定されている。しかし、この発明による分岐接続装置の実施形態は、当然に別のケーブルシステム、例えば二芯又は四芯の電力ケーブル、任意のケーブル芯線数を持つデータケーブル、スピーカーケーブルなどにも利用することもできる。この発明による図６の分岐接続装置の実施構成は、同じく接続部材と前述した種類のケースを有する。しかし、それは、図１〜５の実施構成とは異なり、（コンセントとプラグがスイスの規格にもとづき形成された）標準プラグ６１用に構成されている。このことは、幾つかの構成の変更を必要とするものである。従って、標準プラグの端子ピン６２は、図６ａに図示されているとおり、通常丸いので、クランプ端子の突起部を広げて、更に離さなければならない。更に、この端子ピンは、同じ高さに配置されておらず、その結果クランプ端子１２は、それに適合した位置になければならない。このことは、図に示したとおり、クランプ端子を互いにずらして取り付けなければならないということが必要となる。図６ｂでは、図６にもとづく実施構成で使用されている、三つの接続部材の構成を図示している。この構成によって、プラグに対する相対的な極性が常に同じであることが保証される。
【００２６】
図７では、この発明にもとづく分岐接続装置をベースとして、大きな構成の変更又は手の込んだ追加部分を必要とすること無く、接続システムを作ることができる様子が図示されている。このシステムは、スタック可能なモジュール７１を有し、その際接続部材５は、端子穴６３，７３を介して、それぞれ隣接するモジュール又は分岐接続装置１０に嵌め込まれて、隣接するモジュール又は分岐接続装置の接続部材５と接続される。この場合、接続部材は、図７ａと７ｂで図示されているとおり、圧接端子及びプラグ端子として複合的に構成された端子の隙間を持つことができる。そして、分岐接続装置１０及びスタック可能なモジュール７１用に、同じ接続部材を使用することができる。この代替構成として、モジュールの端子は、前述した端子の隙間の代わりに、例えば既に述べたクランプ端子と同様に構成されているが、それとは異なり、約９０°捻じ曲げられたクランプ端子を持つことができる。
【００２７】
図示した実施構成では、スタック可能なモジュール７１は、更にそれぞれその上又はその下に有るモジュールを固定するための捻じ込み・位置固定突起７４と止めフラップ７５とを有する。
【００２８】
図７にもとづくスタック可能なモジュールの代わりに、分岐接続装置自体が、複式ソケット又は複式コンセントを備えることもできる。そして、その分岐接続装置に使用する接続部材は、図８に図示したコンセント接続部としての役割を果たす六つのクランプ端子１２を持つ接続部材５のように構成される。
【００２９】
別の拡張した接続システムが、図９に図示されている。分岐接続装置１０とともに、二つの並べて設置可能な複式コンセント８１が図示されている。各複式コンセントは、複式コンセント端子を有し、これらの端子は、同様に前述した種類のクランプ端子を有し、例えば同様に金属板から一体的に形成される。この図の下半分には、接続部材５又は複式コンセント端子８２が図示されており、これらは、この接続システムに使用されるものである。これらの複式コンセント端子は、例えば小さい板状に構成して、本来の金属板平面に対して９０°捻じ曲げたピン切片８３を有する。このピン切片は、打ち抜いた部分を捻じ曲げて作ることができるが、（例えばポンチプレスにより）プレスして作ることもできる。これらのクランプ端子８４は、前述したとおり、接続部材５のクランプ端子１２と同様に構成されている。
【００３０】
図１０は、更に図９と比べてより簡単な、コンセントを二つしか持たない接続システムのモジュール用の端子９２を図示している。そのようなモジュールは、同じく任意の数の追加モジュールを直列に繋げることができる。
【００３１】
図７〜１０にもとづく接続システムの実施構成は、この発明にもとづき実現された接続部材又は複式コンセント端子により非常に小さな製造負担で構成される、多様な実施形態を説明するための単なる例である。片側又は両側が外側に突き出た任意の数のクランプ端子を持つ接続部材又は複式コンセント端子の実施形態によって、任意の複式コンセント構造を構成することができる。
【００３２】
この発明の一つの観点にもとづき、多段階による機械的な符合システムを持つ（前述した種類の又は別の形状の端子を持つ）接続システムが構成される。
【００３３】
機械的な符合によって、使用者が、故意にではなく、場合によっては機器の損傷に繋がる恐れがある間違ったプラグ接続を行うことを防止することができる。
【００３４】
この発明のこの観点にもとづく接続システムは、工場で配設された基本符合部と個別的な符合部とを有する。この多段階による機械的な符合の原理は、図１１ａと１１ｂ及び図１２に図示されている。この基本符合部は、プラグ・ソケットの形から得られる確実な機械的特徴、例えばプラグ又はソケットのノッチ４３で構成され、そのノッチには、ソケット又はプラグの隆起部１０２が挿入可能である。これらのノッチと隆起部は、周知の方法により、様々な数と様々な寸法で配置することができる。これらは、ソケット又はプラグの注型加工の際に作ることができる。これらは、例えば低電圧網、小電圧網又はデータ網を識別する役割を果たす。第二段階では、個別の符合部も配備される。個々の網の個別の符合部に関して、コンセント側には、ピンガイド１０４を持つガイド溝１０３が配備されている。プラグの対応する位置には、不可逆的に切り離し可能な突起４５が配備されており、この突起は、プラグを差し込む際に、この溝に挿入される。可逆的に切り離し可能な部材も考えられる。この個別の符合部に関して、工事者は、コンセント側に一つ又は複数の符合ピン１０６を採用するとともに、プラグ側において、それに対応する符合突起を（例えばナイフを用いて）切り離すことができる。図１２による構成では、この符合ピンを採用した時には、上部の突起４５を取り除いた場合にのみ、プラグを差し込むことができる。これは、（差し込むためにプラグを動かす方向に対応する）プラグの軸に対するピンの横方向の位置が突起の横方向の位置と一致し、従って差し込む際に同じ軌道内にあるからである。様々な基本符合部を個別の符合部と組み合わせることにより、多くの組み合わせが可能である。
【００３５】
この措置により、様々な基本符合部が可能であり、更にこの措置は、プラグシステムの個別の符合部を追加するための有利で簡単な手段を提供するので、例えばこの発明による分岐接続装置を持つ接続システムを低圧網、小電圧網又はデータ網に使用することが可能となる。
【図面の簡単な説明】
【００３６】
【図１】見易くするために、ケース全体を取り去った状態での、この発明による分岐接続装置の斜視図
【図２ａ】図１の装置の接続部材の側面図
【図２ｂ】図１の装置の接続部材の平面図
【図３】主ケーブルのケーブル芯線をケース基盤部分内に案内し、配線カバーをも図示した状態での図１の装置の斜視図
【図４】配線カバーが最終位置に有り、ソケットに差し込まれたプラグをも図示した状態での図１の装置の斜視図
【図５】プラグを引き抜いた状態でのカバーを含む装置の斜視図
【図６】電源プラグを使用するための、この発明による装置の実施構成の斜視図
【図６ａ】図６の装置に付属する接続部材の詳細側面図
【図６ｂ】図６の装置に付属する接続部材の詳細斜視図
【図７】スタック可能特性を図示した、図６の実施構成と同様の実施構成
【図７ａ】図７の装置に付属する接続部材の詳細側面図
【図７ｂ】図７の装置に付属する接続部材のスタックした状態での詳細側面図
【図８】接続部材の別の実施構成
【図９】接続システムを構成した、二つの複式ソケットを有する分岐接続装置
【図１０】接続システム用端子
【図１１ａ】符合部を有するコンセントの正面図
【図１１ｂ】符合部を有するコンセントの正面図
【図１２】図５の装置の斜視図
【符号の説明】
【００３７】
１    主ケーブル
２    主ケーブル芯線
３    副ケーブル
４    副ケーブル芯線
５    接続部材
６    プラグ端子
７    クランプ
１０    分岐接続装置
１１    圧接端子
１２    クランプ端子
２１    ケース基盤部分
２２    配線カバー
２３    ガイドフィン
２４    旋回軸
２５    窪み
２６    押圧フィン
２７    止め具
３１    ソケット
４１    プラグ
４２    止め爪
４３    ノッチ
４４    押圧部
４５    突起
５１    カバー
５２    窓
５３    標識
６１    標準プラグ
６２    端子ピン
６３    端子穴
７１    モジュール
７３    端子穴
７４    突起
７５    止めフラップ
８１    複式コンセント
８２    複式コンセント端子
８３    ピン切片
８４    クランプ端子
９２    端子
１０２  隆起部
１０３  ガイド溝
１０４  ピンガイド
１０６  符合ピン
【図１】
2005259694.tif 000003
【図２ａ】
2005259694.tif 000004
【図２ｂ】
2005259694.tif 000005
【図３】
2005259694.tif 000006
【図４】
2005259694.tif 000007
【図５】
2005259694.tif 000008
【図６】
2005259694.tif 000009
【図６ａ】
2005259694.tif 000010
【図６ｂ】
2005259694.tif 000011
【図７】
2005259694.tif 000012
【図７ａ】
2005259694.tif 000013
【図７ｂ】
2005259694.tif 000014
【図８】
2005259694.tif 000015
【図９】
2005259694.tif 000016
【図１０】
2005259694.tif 000017
【図１１ａ】
2005259694.tif 000018
【図１１ｂ】
2005259694.tif 000019
【図１２】
2005259694.tif 000020